【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
複数の画素を有する撮像装置であって、
前記複数の画素のそれぞれは、
電荷蓄積領域を有する光電変換部と、
前記電荷蓄積領域に接続されたコンタクトプラグを含むノードの電位に基づいて信号を出力する出力部と、
前記ノードに容量を電気的に接続する接続部とを含み、
前記電荷蓄積領域は第１部分及び第２部分を含み、光電変換により発生した電荷は前記第１部分に先に蓄積され、前記第１部分が飽和した後に前記第２部分に蓄積され、前記第１部分に所定量の電荷が蓄積されたことによる前記ノードの電位変化の量は前記第２部分に前記所定量の電荷が蓄積されたことによる前記ノードの電位変化の量よりも大きく、
前記出力部は、前記ノードに前記容量が電気的に接続されていない状態で前記電荷蓄積領域への電荷の蓄積が開始された後に、前記容量が電気的に接続される前の前記ノードの電位に基づいて第１信号を出力し、その後に前記容量が電気的に接続された後の前記ノードの電位に基づいて第２信号を出力することを特徴とする撮像装置。
【請求項２】
前記コンタクトプラグは、前記第１部分に接続され、
前記第１部分は、前記第２部分に取り囲まれることを特徴とする請求項１に記載の撮像装置。
【請求項３】
前記撮像装置は、前記出力部から出力された信号を用いて画素値を決定する処理部を更に有し、
前記処理部は、前記第１信号の値が所定の値よりも小さい場合に、前記第１信号に基づいて前記画素値を決定し、前記第１信号の値が前記所定の値よりも大きい場合に、前記第２信号に基づいて前記画素値を決定することを特徴とする請求項１又は２に記載の撮像装置。
【請求項４】
前記所定の値は、前記第１部分が飽和した時点の前記ノードの電位に基づくことを特徴とする請求項３に記載の撮像装置。
【請求項５】
前記複数の画素は、前記出力部から出力された前記第１信号を保持する第１保持部と、前記出力部から出力された前記第２信号を保持する第２保持部とを更に含むことを特徴とする請求項１乃至４の何れか１項に記載の撮像装置。
【請求項６】
前記複数の画素のそれぞれは、
前記ノードの電位をリセット電圧に設定するリセット部と、
前記ノードの電位が前記リセット電圧に設定された状態で前記出力部が前記ノードの電位に基づいて出力する第３信号を保持する第３保持部とを更に含むことを特徴とする請求項５に記載の撮像装置。
【請求項７】
前記容量が電気的に接続された状態の前記ノードの電位に基づいて前記第２信号を出力することを特徴とする請求項１乃至６の何れか１項に記載の撮像装置。
【請求項８】
複数の画素を有する撮像装置であって、
前記複数の画素のそれぞれは、
電荷蓄積領域を有する光電変換部と、
前記電荷蓄積領域に接続されたコンタクトプラグを含むノードの電位に基づいて信号を出力する出力部と、
前記ノードに容量を電気的に接続する接続部と、
第１保持部及び第２保持部とを含み、
前記第１保持部は、前記容量が電気的に接続される前の前記ノードの電位に基づいて出力された第１信号を保持し、
前記第２保持部は、前記容量が電気的に接続された後の前記ノードの電位に基づいて出力された第２信号を保持することを特徴とする撮像装置。
【請求項９】
前記複数の画素のそれぞれは、
前記ノードの電位をリセット電圧に設定するリセット部と、
前記ノードの電位が前記リセット電圧に設定された状態で前記出力部が前記ノードの電位に基づいて出力する第３信号を保持する第３保持部とを更に含むことを特徴とする請求項８に記載の撮像装置。
【請求項１０】
前記電荷蓄積領域は、第１部分及び第２部分を含み、
前記コンタクトプラグは、前記第１部分に接続され、
前記第１部分の不純物濃度は、前記第２部分の不純物濃度よりも高いことを特徴とする請求項８又は９に記載の撮像装置。
【請求項１１】
前記第１部分は、前記第２部分に取り囲まれることを特徴とする請求項１０に記載の撮像装置。
【請求項１２】
複数の画素を有する撮像装置であって、
前記複数の画素のそれぞれは、
第１部分及び第２部分を含む電荷蓄積領域を有する光電変換部と、
前記第１部分に接続されたコンタクトプラグと、
前記コンタクトプラグを含むノードの電位に基づいて信号を出力する出力部と、
前記ノードに接続部を介して電気的に接続された容量とを含み、
前記第１部分の不純物濃度は、前記第２部分の不純物濃度よりも高いことを特徴とする撮像装置。
【請求項１３】
前記第１部分は、前記第２部分に取り囲まれることを特徴とする請求項１２に記載の撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００１
【補正方法】変更
【補正の内容】
【０００１】
本発明は撮像装置に関する。
【手続補正４】
【補正対象書類名】明細書
【補正対象項目名】０００５
【補正方法】変更
【補正の内容】
【０００５】
上記課題に鑑みて、本発明の１つの側面では、複数の画素を有する撮像装置であって、前記複数の画素のそれぞれは、電荷蓄積領域を有する光電変換部と、前記電荷蓄積領域に接続されたコンタクトプラグを含むノードの電位に基づいて信号を出力する出力部と、前記ノードに容量を電気的に接続する接続部とを含み、前記電荷蓄積領域は第１部分及び第２部分を含み、光電変換により発生した電荷は前記第１部分に先に蓄積され、前記第１部分が飽和した後に前記第２部分に蓄積され、前記第１部分に所定量の電荷が蓄積されたことによる前記ノードの電位変化の量は前記第２部分に前記所定量の電荷が蓄積されたことによる前記ノードの電位変化の量よりも大きく、前記出力部は、前記ノードに前記容量が電気的に接続されていない状態で前記電荷蓄積領域への電荷の蓄積が開始された後に、前記容量が電気的に接続される前の前記ノードの電位に基づいて第１信号を出力し、その後に前記容量が電気的に接続された後の前記ノードの電位に基づいて第２信号を出力することを特徴とする撮像装置が提供される。
本発明の別の側面では、複数の画素を有する撮像装置であって、前記複数の画素のそれぞれは、電荷蓄積領域を有する光電変換部と、前記電荷蓄積領域に接続されたコンタクトプラグを含むノードの電位に基づいて信号を出力する出力部と、前記ノードに容量を電気的に接続する接続部と、第１保持部及び第２保持部とを含み、前記第１保持部は、前記容量が電気的に接続される前の前記ノードの電位に基づいて出力された第１信号を保持し、前記第２保持部は、前記容量が電気的に接続された後の前記ノードの電位に基づいて出力された第２信号を保持することを特徴とする撮像装置が提供される。
本発明の別の側面では、複数の画素を有する撮像装置であって、前記複数の画素のそれぞれは、第１部分及び第２部分を含む電荷蓄積領域を有する光電変換部と、前記第１部分に接続されたコンタクトプラグと、前記コンタクトプラグを含むノードの電位に基づいて信号を出力する出力部と、前記ノードに接続部を介して電気的に接続された容量とを含み、前記第１部分の不純物濃度は、前記第２部分の不純物濃度よりも高いことを特徴とする撮像装置が提供される。
【手続補正５】
【補正対象書類名】明細書
【補正対象項目名】０００６
【補正方法】削除
【補正の内容】